(57)【特許請求の範囲】
【請求項１】
少なくともコンタクトガラス上にセットされた原稿を開閉可能な所定の圧板により前記コンタクトガラスに押圧しつつ主走査及び副走査して当該原稿の画像を読み取るブック型読取手段と、
前記コンタクトガラス上に前記原稿がセットされているか否かを検出する原稿検出手段と、
前記圧板の開閉動作を検出する圧板開閉検出手段と、
所定のファクシミリ通信手順により前記原稿の画情報をファクシミリ送信するファクシミリ送信手段と、
所定の警報を報知出力する警報手段と、
所定の相手先へのファクシミリ送信に失敗した前記原稿の画情報を当該相手先への再発呼を所定回数繰り返し行ってファクシミリ送信を行う再発呼待機モードに移行する手段と、
該再発呼待機モードを解除する操作手段と、
前記再発呼待機モードに移行した後に、前記圧板開閉検出手段が前記圧板が開かれたことを検出すると、前記警報手段に所定の警報を報知出力させるとともに、前記操作手段により解除操作が行われた場合のみ前記再発呼待機モードを解除する制御手段と、
を備えたことを特徴とするファクシミリ装置。
【請求項２】
前記制御手段は、前記再発呼待機中の前記圧板の開閉により、前記原稿検出手段による原稿の適切なセット状態が検出できなくなったとき、前記警報手段に前記原稿の前記コンタクトガラス上への適切なセットを促す旨を報知出力させることを特徴とする請求項１記載のファクシミリ装置。
【発明の詳細な説明】
【０００１】
【発明の属する技術分野】
本発明は、ファクシミリ装置に関し、詳細には、ブック型原稿のファクシミリ送信が完了したかどうかを明確にし、また、正常送信できなかったブック型原稿の画情報をメモリ送信に切り換えてブック型原稿のファクシミリ送信を行う際の利用性を向上させたファクシミリ装置に関する。
【０００２】
【従来の技術】
従来、ファクシミリ装置は、一般に、シート原稿を読み取るスキャナを備えたものが多いが、ブック型の原稿（以下、ブック原稿という。）を送信する場合、このようなシート原稿のみを読み取るスキャナを備えたファクシミリ装置では、ブック原稿を複写機等で読み取って、一旦シート原稿に変換コピーした後、ファクシミリ装置にセットして読み取らせる必要がある。
【０００３】
そのため、従来からブック型の原稿を読み取ることのできるブック型スキャナを備えたファクシミリ装置が出現しており、このようなブック型スキャナを備えたファクシミリ装置においては、コンタクトガラス上にセットされた本だけでなく、通常のシート原稿、小サイズや薄紙等の特殊原稿をもコンタクトガラス上にセットしてブック型スキャナで読み取って、ファクシミリ送信することができる。そして、ブック型スキャナを備えたファクシミリ装置は、原稿以外の部分を白色にするために、白基準に対応する面を備えた圧板がコンタクトガラスを覆うように設けられている。
【０００４】
また、ブック型スキャナを備えたファクシミリ装置は、従来から、コンタクトガラス上に原稿がセットされているかどうかを検出する用紙センサやコンタクトガラス上を覆う圧板の開閉を検出する開閉センサが設けられており、コンタクトガラス上にセットされた原稿の送信が相手先ビジー等により正常に送信を行えなかった場合、再発呼待機状態となって、再送信タイミングになると、再度、コンタクトガラス上の原稿を読み取って再送信処理を行うが、この再発呼待機中に、圧板が開けられてコンタクトガラス上にセットされていた原稿が取り除かれたことを検出すると、再発呼待機状態が解除される。そして、用紙センサは、通常、コンタクトガラスの下方あるいは上方等に配設された反射型光センサが使用されている。
【０００５】
【発明が解決しようとする課題】
しかしながら、このような従来のブック型スキャナを備えたファクシミリ装置にあっては、ブック原稿がコンタクトガラス上にセットされたままであると、当該ブック原稿のファクシミリ送信が完了したのか、再発呼待機中であるのか、あるいは、未送信状態であるのかが一見して分からず、オペレータは、当該コンタクトガラス上の原稿を取り除くためには、送信履歴等を出力させて送信が完了したか、再発呼待機中であるかを確認した後、あるいは、当該原稿をコンタクトガラス上にセットしたオペレータを探して確認した後、コンタクトガラス上から取り除く等の操作を行うこととなり、ファクシミリ装置の利用性が悪いという問題があった。
【０００６】
また、コンタクトガラス上にセットされた原稿は、圧板に覆われているため、再発呼待機中に、他のオペレータが原稿がコンタクトガラス上にセットされているのを知らずに圧板を開けてしまうことがあり、この場合、コンタクトガラス上の原稿が圧板が開かれた際の風等により移動して、用紙センサ位置からずれると、ファクシミリ装置は、原稿が取り除かれたと判断して、再発呼待機状態を解除する。そのため、当該原稿の送信操作を行ったオペレータは、再度、原稿をセットして送信操作を行う必要があり、ファクシミリ装置の利用性が悪いという問題があった。
【０００７】
そこで、請求項１記載の発明は、ブック型読取手段の読み取った原稿の画情報のファクシミリ送信が正常終了すると、所定の警報手段からファクシミリ送信が正常終了した旨を報知出力することにより、ブック型読取手段のコンタクトガラス上に送信済みの原稿が残されていても、当該原稿が送信済みであることを当該原稿をセットしたオペレータや他のオペレータに認識させし、オペレータが必要な操作や処理を適切に行えにようにし、利用性の良好なファクシミリ装置を提供することを目的としている。
【０００８】
請求項２記載の発明は、コンタクトガラス上にセットされた原稿が未送信状態であるときに、あるいは、再発呼待機モード中の原稿がコンタクトガラス上にセットされた状態であるときに、コンタクトガラス上を覆う圧板が開かれると、警報手段から所定の警報を報知出力するとともに、操作手段により再発呼待機モードの解除操作が行われた場合のみ再発呼待機モードを解除することにより、未送信原稿や再発呼待機モード中の原稿がコンタクトガラス上に残っているときに、圧板が開けられても、警報を出力して、オペレータにその旨を通知し、不用意に原稿が取り除かれてしまうことを防止するとともに、圧板が開かれても解除操作が行われない限り、再発呼待機モードを維持し、適切に再発呼処理を行って、より一層利用性の良好なファクシミリ装置を提供することを目的としている。
【０００９】
請求項３記載の発明は、未送信状態の原稿あるいは再発呼待機中の原稿がコンタクトガラス上にセットされた状態で圧板が開かれたとき、操作手段により再発呼待機モードの解除操作が行われずに、原稿検出手段が原稿の非セット状態を検出すると、原稿のコンタクトガラス上へのセットを促す旨を報知出力することにより、未送信状態の原稿あるいは再発呼待機中の原稿がコンタクトガラス上にセットされた状態で圧板が開かれたときに、原稿が圧板の風等で移動したり、他のオペレータにより取り除かれた場合にも、原稿が適切にコンタクトガラス上に戻されるようにして、未送信の原稿や再発呼待機中の原稿を適切に送信できるようにし、より一層利用性の良好なファクシミリ装置を提供することを目的としている。
【００１０】
請求項４記載の発明は、ブック型読取手段の読み取った原稿の画情報の所定の相手先へのファクシミリ送信に失敗すると、コンタクトガラス上の原稿の画像をブック型読取手段で読み取って画情報記憶手段に記憶するとともに、当該画情報記憶手段に記憶された画情報を再発呼してファクシミリ送信するメモリ送信再発呼待機モード処理を行うことにより、再発呼待機中の原稿を他のオペレータが取り除いても適切にメモリ送信再発呼処理を行うとともに、複数枚の原稿をブック型読取手段で読み取らせて送信する際に再発呼状態になった場合にも、再発呼状態になったときにブック型読取手段で原稿を読み取らせて画情報記憶手段に記憶させて、あらためてブック型読取手段に原稿を読み取らせたり、また、再発呼のタイミングまで待つ手間を省いて、より一層利用性の良好なファクシミリ装置を提供することを目的としている。
【００１１】
【課題を解決するための手段】
請求項１記載の発明のファクシミリ装置は、少なくともコンタクトガラス上にセットされた原稿を開閉可能な所定の圧板により前記コンタクトガラスに押圧しつつ主走査及び副走査して当該原稿の画像を読み取るブック型読取手段と、前記コンタクトガラス上に前記原稿がセットされているか否かを検出する原稿検出手段と、前記圧板の開閉動作を検出する圧板開閉検出手段と、所定のファクシミリ通信手順により前記原稿の画情報をファクシミリ送信するファクシミリ送信手段と、所定の警報を報知出力する警報手段と、所定の相手先へのファクシミリ送信に失敗した前記原稿の画情報を当該相手先への再発呼を所定回数繰り返し行ってファクシミリ送信を行う再発呼待機モードに移行する手段と、該再発呼待機モードを解除する操作手段と、前記再発呼待機モードに移行した後に、前記圧板開閉検出手段が前記圧板が開かれたことを検出すると、前記警報手段に所定の警報を報知出力させるとともに、前記操作手段により解除操作が行われた場合のみ前記再発呼待機モードを解除する制御手段と、を備えたことを特徴とする。
【００１２】
上記構成によれば、再発呼待機モード中の未送信原稿がコンタクトガラス上にセットされた状態であるときに、コンタクトガラス上を覆う圧板が開けられても、警報を出力して、オペレータにその旨を通知し、不用意に原稿が取り除かれてしまうことを防止して再発呼処理を行う一方、操作手段により再発呼待機モードの解除操作が行われた場合は再発呼待機モードを解除することができるので、ファクシミリ装置の利用性をより一層向上させることができる。
【００１３】
この場合、例えば、請求項２に記載するように、前記制御手段は、前記再発呼待機中の前記圧板の開閉により、前記原稿検出手段による原稿の適切なセット状態が検出できなくなったとき、前記警報手段に前記原稿の前記コンタクトガラス上への適切なセットを促す旨を報知出力させるようにしてもよい。
【００１４】
上記構成によれば、請求項１記載の効果に加えて、再発呼待機中の未送信原稿がコンタクトガラス上にセットされた状態で圧板が開かれたときに、未送信原稿が圧板の風等で移動したり、他のオペレータにより取り除かれた場合にも、原稿が適切にコンタクトガラス上に戻されるようにして、未送信の原稿や再発呼待機中の原稿を適切に送信できるようにすることができ、ファクシミリ装置の利用性をより一層向上させることができる。
【００１９】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２０】
図１〜図３は、本発明のファクシミリ装置の第１の実施の形態を示す図であり、本実施の形態は、ブック型読取部で読み取ったブック原稿のファクシミリ送信を正常終了すると、その旨を表示して通知するもので、請求項１に対応するものである。
【００２１】
図１は、本発明のファクシミリ装置の第１の実施の形態を適用したファクシミリ装置１の回路ブロック図である。図１において、ファクシミリ装置１は、ブック型読取部２、ブック原稿センサ３、ＡＤＦ（自動原稿送り装置）付き読取部４、ＡＤＦ原稿センサ５、圧板開閉センサ６、プロッタ７、用紙センサ８、アラーム９、操作表示部１０、パラメータメモリ１１、バッテリ１２、通信制御部１３、モデム１４、網制御部１５、符号化・復号化部１６、ＣＰＵ（Central Processing Unit ）１７、ＲＯＭ（Read Only Memory）１８、ＲＡＭ（Random Access Memory）１９、時計回路部２０及び画像メモリ２１等を備えており、上記各部は、バス２２により接続されている。
【００２２】
ブック型読取部（ブック型読取手段）２は、ブック型の原稿のセットされるコンタクトガラス、読取機構部及び開閉可能に設けられてコンタクトガラス上のブック原稿をコンタクトガラスに押し付けるとともに白基準を提供する圧板等を備え、読取機構部によりコンタクトガラス上にセットされたブック原稿を主走査及び副走査して当該ブック原稿の画像を所定の解像度で読み取る。このブック型読取部２には、ブック原稿センサ３が取り付けられており、ブック原稿センサ（原稿検出手段）３は、少なくともコンタクトガラス上に原稿がセットされているか否かを検出して、検出結果をＣＰＵ１７に出力する。また、ブック型読取部２には、圧板開閉センサ６が設けられており、圧板開閉センサ（圧板開閉検出手段）６は、圧板の開閉を検出して、検出結果をＣＰＵ１７に出力する。
【００２３】
ＡＤＦ付き読取部４は、例えば、ＣＣＤ(Charge Coupled Device）を利用したラインイメージセンサが用いられており、ＡＤＦを備えている。ＡＤＦには、複数枚の原稿がセットされ、ＡＤＦは、セットされた原稿を１枚ずつＡＤＦ付き読取部４の原稿読取位置に送給する。ＡＤＦ付き読取部４は、ＡＤＦから搬送されてきた原稿を走査し、原稿の画像を所定の解像度で読み取る。このＡＤＦには、ＡＤＦ原稿センサ５が取り付けられており、ＡＤＦ原稿センサ５は、ＡＤＦ上の原稿のセットの有無及びセットされた原稿サイズを検出して、検出結果をＣＰＵ１７に出力する。
【００２４】
プロッタ７は、例えば、サーマル素子を備えたサーマル記録装置、電子写真式記録装置、あるいは、インク噴射式記録装置等が用いられており、プロッタ７には、１種類あるいは複数種類の所定の記録紙サイズのカット記録紙をセット可能な記録紙カセットを備えている。プロッタ７は、記録紙カセットから供給される記録紙に、受信画像及びブック型読取部２やＡＤＦ付き読取部４で読み取られた原稿の画像等を記録出力するとともに、必要なレポートを記録紙に記録出力する。
【００２５】
プロッタ７には、用紙センサ８が設けられており、用紙センサ８は、プロッタ７の記録紙カセットにセットされている記録紙のサイズ及び当該記録紙カセット内の記録紙の有無を検出して、検出結果をＣＰＵ１７に出力する。
【００２６】
操作表示部（操作手段）１０は、テンキーやスタートキー等の各種操作キー及び各種ファンクションモードを切り換えるための操作キー等を備えるとともに、ディスプレイ（例えば、液晶ディスプレイやＬＥＤ（Light Emitting Diode）等）を備え、操作キーからは、送信操作等の各種命令や再発呼待機モードの解除のＹｅｓ、Ｎｏ等が入力操作され、ディスプレイには、操作キーから入力された命令内容やファクシミリ装置１からオペレータに通知する各種情報が表示される。特に、操作表示部１０のキー操作により再送信解除を行うか否かの指示操作が行われ、ディスプレイには、ブック原稿の送信が完了した旨の表示、ブック原稿の適切なセットを促す旨の表示及びブック原稿をメモリ送信に切り換えてメモリ送信再発呼待機中である旨の表示等が行われる。
【００２７】
アラーム９は、ランプ、ディスプレイ、ブザー、あるいは、スピーカ等のうちのいずれか、あるいは、これらの２種類以上を組み合わせたものが利用され、ＣＰＵ１７の制御下で動作して、各種警報、特に、ブック型読取部２で読み取った原稿が正常終了している旨、ブック原稿がブック型読取部２のコンタクトガラス上にセットされた状態で再発呼待機中であるときに、ブック型読取部２の圧板が開かれたことを圧板開閉センサ６が検出すると、ブック原稿をコンタクトガラス上に戻すことを促す旨等の警報を報知する。上記操作表示部１０のディスプレイ及びアラーム９は、警報手段として機能している。
【００２８】
パラメータメモリ１１は、読み／書き可能な不揮発性メモリで構成され、送信先電話番号や名称及び自己の電話番号や名称等の各種管理情報を記憶する。
【００２９】
パラメータメモリ１１は、バッテリ１２により、停電やファクシミリ装置１の電源がオフされているときにも、パラメータメモリ１１内の管理情報が保持されるように、バックアップされている。
【００３０】
網制御部１５には、回線Ｌ、例えば、公衆電話回線あるいは専用回線が接続されており、網制御部１５は、ＣＰＵ１７の制御下で動作して、回線Ｌからの発呼に対して自動着呼し、また、回線Ｌへの自動発呼処理を行う。
【００３１】
通信制御部１３は、回線Ｌを介して接続された通信相手先ファクシミリ装置との間でファクシミリ制御信号の交換を行うとともに、データ変換を行って、ファクシミリ通信手順を実行する。
【００３２】
モデム１４は、ＣＰＵ１７の制御下で動作して、送信時、送信信号を回線Ｌの伝達に適した形態に変調し、また、受信時、回線Ｌから送られてきた変調信号を復調する。
【００３３】
符号化・復号化部１６は、画像メモリ２１への画情報の蓄積の効率化及び画情報の電送時間の短縮化と効率化を図るものであり、送信時には画情報を所定の符号化方式により圧縮（符号化）し、また、受信時には符号化された画情報を原情報に再生（復号化）する。
【００３４】
ＲＯＭ１８は、ファクシミリ装置１の基本処理プログラム及び後述するブック原稿対応処理等の各種プログラムを記憶するとともに、これら各プログラムを実行するのに必要な各種システムデータやその他のデータを記憶している。
【００３５】
ＣＰＵ１７は、ＲＯＭ１８内のプログラムに基づいてＲＡＭ１９をワークメモリとして使用しつつ、ファクシミリ装置１の各部を制御して、ファクシミリ装置１としての基本処理を実行するとともに、後述するブック原稿対応処理を実行する。
【００３６】
時計回路部２０は、発振回路や分周回路等を備え、現在時刻を計時するとともに、ファクシミリ装置１の動作に必要な各種クロックを発生する。
【００３７】
画像メモリ２１は、ハードディスク等で構成され、受信画情報及びブック型読取部２やＡＤＦ付き読取部４で読み取られた原稿の画情報等を主に記憶する。
【００３８】
次に、本実施の形態の作用を説明する。本実施の形態のファクシミリ装置１は、ブック原稿の送信を正常終了すると、送信が完了した旨を操作表示部１０の表示部に表示出力するところに、その特徴がある。
【００３９】
すなわち、ファクシミリ装置１は、図２に示すように、ブック型読取部２あるいはＡＤＦ付き読取部４に原稿がセットされて、必要な送信操作が操作表示部１０から行われると（ステップＳ１）、ＣＰＵ１７が、制御下で相手先ファクシミリ装置とファクシミリ制御手順を実行して、ファクシミリ送信処理を開始する（ステップＳ２）。
【００４０】
ＣＰＵ１７は、相手先が応答すると、ブック型読取部２あるいはＡＤＦ付き読取部４を駆動させて、セットされた原稿を読み取らせ、全ての原稿の読取を完了して、送信を終了したかチェックし（ステップＳ３）、ファクシミリ送信処理を終了すると、当該ファクシミリ送信が正常終了したかチェックする（ステップＳ４）。
【００４１】
この場合、ファクシミリ送信が終了すると、原稿がＡＤＦ付き読取部４にセットされていた場合には、読取の完了した原稿は、原稿排紙部にＡＤＦにより自動的に排出されるが、原稿がブック型読取部２のコンタクトガラス上にセットされていた場合には、オペレータがコンタクトガラス上から原稿を取り除く操作を行わない限り、原稿は、コンタクトガラス上に残ったままとなる。
【００４２】
ステップＳ４で、送信が正常終了すると、ＣＰＵ１７は、原稿の読み取りを行ったのがブック型読取部２であるかチェックし（ステップＳ５）、原稿の読み取りを行ったのがブック型読取部２ではなく、ＡＤＦ付き読取部４であると、通常の待機状態に移行して、操作表示部１０のディスプレイには、通常の待機状態の表示を行わせる（ステップＳ６）。
【００４３】
ステップＳ５で、原稿の読み取りを行ったのがブック型読取部２であると、ＣＰＵ１７は、送信が正常完了した旨を操作表示部１０のディスプレイに行わせて、通常の待機状態に移行する（ステップＳ７）。
【００４４】
ＣＰＵ１７は、上記送信完了表示を、例えば、図３に示すように、「Ｂｏｏｋ原稿送信完了しています。」等のように操作表示部１０のディスプレイに行い、また、コンタクトガラス上から原稿が取り除かれたことを圧板開閉センサ６及びブック原稿センサ３の検出結果から判別するまで、上記送信が完了した旨の表示を行う。
【００４５】
上記ステップＳ４で、相手先ビジー等の理由で正常終了しなかった場合には、ＣＰＵ１７は、操作表示部１０のディスプレイへのエラー表示、アラーム出力、エラーレポートの出力等のエラー処理を行って、待機状態に移行する（ステップＳ８）。
【００４６】
このように、本実施の形態のファクシミリ装置１によれば、ブック型読取部２の読み取った原稿の画情報のファクシミリ送信が正常終了すると、操作表示部１０のディスプレイにファクシミリ送信が正常終了した旨を報知出力している。
【００４７】
したがって、ブック型読取部２のコンタクトガラス上に送信済みの原稿が残されていても、当該原稿が送信済みであることを当該原稿をセットしたオペレータや他のオペレータに認識させて、オペレータが必要な操作や処理を適切に行えるようにすることができ、ファクシミリ装置１の利用性を向上させることができる。
【００４８】
図４及び図５は、本発明のファクシミリ装置の第２の実施の形態を示す図であり、本実施の形態は、ブック原稿の再発呼待機時に圧板が開かれた際の再発呼待機処理を適切に行うもので、請求項２及び請求項３に対応するものである。
【００４９】
なお、本実施の形態は、上記第１の実施の形態と同様のファクシミリ装置に適用したものであり、本実施の形態の説明においては、上記第１の実施の形態で用いた符号をそのまま用いて、以下説明する。
【００５０】
本実施の形態のファクシミリ装置１は、ブック型読取部２にブック原稿がセットされてファクシミリ送信を開始したが、相手先ビジー等の理由により正常に送信終了できなかった場合、ブック型読取部２のコンタクトガラス上にブック原稿がセットされたままの状態であると、所定時間間隔毎に相手先に再発呼して、ブック原稿の再送信を行うための待機状態（再発呼待機状態）に移行する。
【００５１】
この再発呼待機状態（リダイヤル待機状態）においては、ファクシミリ装置１は、図４に示すリダイヤル待機処理（再発呼待機処理）を行う。すなわち、ＣＰＵ１７は、再発呼待機状態にはいると（ステップＳ１１）、常時圧板の開閉を圧板開閉センサ６の検出結果により監視し（ステップＳ１２）、圧板が開かれると（上げられると）、コンタクトガラス上にブック原稿（Ｂｏｏｋ原稿）があるかどうかをブック原稿センサ３の検出結果により判断する（ステップＳ１３）。
【００５２】
ステップＳ１３で、ブック原稿がセットされていないときには、原稿は、コンタクトガラス上にはセットされていないため、圧板が開かれて他の原稿がセットされて送信処理やコピー処理等が行われても、何ら問題が発生しないため、ＣＰＵ１７は、そのまま再発呼待機状態（リダイヤル待機状態）に移行して、上記同様の処理を行う（ステップＳ１１〜Ｓ１３）。
【００５３】
ステップＳ１３で、ブック原稿がセットされていると、ＣＰＵ１７は、アラーム９を駆動させて、再発呼待機中の原稿がコンタクトガラス上にセットされている旨の警報を出力し（ステップＳ１４）、再発呼待機（リダイヤル待機）状態を解除するか否かを問い合わせる表示を操作表示部１０のディスプレイに表示させて（ステップＳ１５）、リダイヤル解除が操作表示部１０のキー操作により選択されたかどうかチェックする（ステップＳ１６）。
【００５４】
ステップＳ１６で、リダイヤル解除が選択されると、すなわち、操作表示部１０の「Ｙｅｓ」キーが投入されると、ＣＰＵ１７は、再発呼待機モード（リダイヤル待機モード）を解除して、処理を終了する（ステップＳ１７）。
【００５５】
ステップＳ１６で、リダイヤル解除が選択されないとき、すなわち、操作表示部１０の「Ｎｏ」キーが投入されると、ＣＰＵ１７は、圧板が閉じられたかどうかチェックし（ステップＳ１８）、圧板が閉じられるまで、上記リダイヤル解除を行うか否かの問い合わせ表示と当該表示に応じたリダイヤル解除の選択操作が行われるかのチェックを行って（ステップＳ１５、Ｓ１６、Ｓ１８）、圧板が閉じられたことを圧板開閉センサ６が検出すると、ブック原稿がコンタクトガラス上にセットされているかどうかをブック原稿センサ３の検出結果から判別する（ステップＳ１９）。すなわち、ブック原稿が、圧板が開けられて、オペレータにより取り除かれるか、圧板が開かれることによる風等でブック原稿センサ３の検出位置から位置ずれすると、ブック原稿センサ３がブック原稿がセットされていることを検出できなくなる。この場合、ステップＳ１９では、ＣＰＵ１７は、コンタクトガラス上に原稿がセットされていないと判別する。
【００５６】
ステップＳ１９で、ブック原稿がコンタクトガラス上に適切にセットされていると、ＣＰＵ１７は、そのまま再発呼待機モード（リダイヤル待機モード）を継続する。
【００５７】
ステップＳ１９で、ブック原稿がコンタクトガラス上に適切にセットされていないと、ＣＰＵ１７は、例えば、図５に示すように、「Ｂｏｏｋ送信原稿を戻してください。」等のブック原稿の適切なセットを促す旨の表示を、ブック原稿がコンタクトガラス上に適切にセットされたことをブック原稿センサ３が検出するまで、操作表示部１０のディスプレイに表示出力させ（ステップＳ２０、Ｓ１９）、ブック原稿がコンタクトガラス上に適切にセットされたことをブック原稿センサ３が検出すると（ステップＳ１９）、再発呼待機モード（リダイヤル待機モード）を継続する。
【００５８】
このように、本実施の形態のファクシミリ装置１によれば、コンタクトガラス上にセットされた原稿が未送信状態であるときに、あるいは、再発呼待機モード中の原稿がコンタクトガラス上にセットされた状態であるときに、コンタクトガラス上を覆う圧板が開かれると、アラーム９から所定の警報を報知出力するとともに、操作表示部１０により再発呼待機モードの解除操作が行われた場合のみ再発呼待機モードを解除する。
【００５９】
したがって、未送信原稿や再発呼待機モード中の原稿がコンタクトガラス上に残っているときに、圧板が開けられても、警報を出力して、オペレータにその旨を通知し、不用意に原稿が取り除かれてしまうことを防止することができるとともに、圧板が開かれても解除操作が行われない限り、再発呼待機モードを維持し、適切に再発呼処理を行って、ファクシミリ装置１の利用性をより一層向上させることができる。
【００６０】
また、未送信状態の原稿あるいは再発呼待機中の原稿がコンタクトガラス上にセットされた状態で圧板が開かれたとき、操作表示部１０により再発呼待機モードの解除操作が行われずに、ブック原稿センサ３が原稿の非セット状態を検出すると、原稿のコンタクトガラス上へのセットを促す旨を報知出力しているので、未送信状態の原稿あるいは再発呼待機中の原稿がコンタクトガラス上にセットされた状態で圧板が開かれたときに、原稿が圧板の風等で移動したり、他のオペレータにより取り除かれた場合にも、原稿が適切にコンタクトガラス上に戻されるようにして、未送信の原稿や再発呼待機中の原稿を適切に送信できるようにすることができ、ファクシミリ装置１の利用性をより一層向上させることができる。
【００６１】
図６及び図７は、本発明のファクシミリ装置の第３の実施の形態を示す図であり、本実施の形態は、ブック原稿を一旦画像メモリ２１に蓄積することなくそのまま送信する直接送信モードで送信操作された際に、送信を正常に行えないと、メモリ送信に切り換えて再発呼待機モードに移行するもので、請求項４に対応するものである。
【００６２】
なお、本実施の形態は、上記第１の実施の形態と同様のファクシミリ装置に適用したものであり、本実施の形態の説明においては、上記第１の実施の形態で用いた符号をそのまま用いて、以下説明する。
【００６３】
本実施の形態のファクシミリ装置１は、直接送信操作により送信指示が行われ、送信処理を開始した際、正常に送信を完了しないと、当該送信原稿がブック原稿の場合には、メモリ送信に切り換えて、再発呼待機モードに移行するところにその特徴がある。
【００６４】
すなわち、ファクシミリ装置１は、オペレータにより原稿がブック型読取部２あるいはＡＤＦ付き読取部４にセットされて、操作表示部１０のキー操作により直接送信を指示するキー操作が行われた後、スタートキーが投入されると（ステップＳ２１）、ＣＰＵ１７は、当該直接送信操作に応じて、相手先に発呼して、送信処理を開始する（ステップＳ２２）。
【００６５】
ＣＰＵ１７は、送信処理を開始すると、相手先がビジーや紙切れ等により正常応答しないかどうかチェックし（ステップＳ２３）、正常応答すると、セットされた原稿をブック型読取部２あるいはＡＤＦ付き読取部４により読み取らせて、当該読み取られた画情報を相手ファクシミリ装置に送信する。ＣＰＵ１７は、当該ファクシミリ送信が正常終了するかチェックして（ステップＳ２４）、ファクシミリ送信が正常終了すると、直接送信処理を終了して、通常の待機モードに移行する。
【００６６】
ステップＳ２３で、相手先がビジー等により正常応答しないときには、原稿がブック原稿であるか、すなわち、原稿がブック型読取部２にセットされたのかどうかチェックし（ステップＳ２５）、ブック型読取部２ではなく、ＡＤＦ付き読取部４に原稿がセットされているときには、再発呼待機（リダイヤル待機）を行う旨の表示を操作表示部１０のディスプレイに行わせて、そのまま、すなわち、ＡＤＦ付き読取部４に原稿がセットされた状態のまま、再発呼待機モード（リダイヤル待機モード）に移行する（ステップＳ２６）。
【００６７】
ステップＳ２５で、原稿がブック型読取部２にセットされているときには、ＣＰＵ１７は、直接送信モードをメモリ送信モードに切り換え（ステップＳ２７）、ブック型読取部２を駆動させて、セットされている原稿の読み取りを行わせる。ＣＰＵ１７は、ブック型読取部２の読み取った原稿の画情報を順次画像メモリ２１に蓄積し、１ページ分の画情報の蓄積が完了したかチェックする（ステップＳ２８）。１ページ分の画情報の蓄積が完了すると、ＣＰＵ１７は、次ページがあるかどうかを、ブック原稿センサ３及びＡＤＦ原稿センサ５の検出結果によりチェックする。すなわち、次ページの原稿のセットのために、圧板が開かれて前の原稿がコンタクトガラス上から取り除かれ、次ページの原稿がコンタクトガラス上にセットされて、圧板が再度閉じられたかをブック原稿センサ３と圧板開閉センサ６の検出結果からチェックする（ステップＳ２９）。ステップＳ２９で、次ページがあるときには、ＣＰＵ１７は、操作表示部１０のスタートキーが投入されるのを待って（ステップＳ３０）、ステップＳ２８に移行する。すなわち、スタートキーが投入されると、ＣＰＵ１７は、上記同様に、ブック型読取部２を駆動させて、セットされた次ページの原稿を読み取らせ、当該次ページの原稿の画情報を画情報メモリ２１に蓄積させる。
【００６８】
ステップＳ２８で、画情報の画像メモリ２１への蓄積が完了すると、ＣＰＵ１７は、上記同様に次ページの原稿の有無をチェックし（ステップＳ２９）、次ページがあると、上記同様に、当該次ページの原稿のブック型読取部２による読取と画像メモリ２１への蓄積を行う（ステップＳ３０、Ｓ２８）。
【００６９】
上記処理順次行って、ステップＳ２９で、次ページが無くなると、ＣＰＵ１７は、操作表示部１０のディスプレイに、メモリ送信に切り換えてリダイヤル待機に移行する旨を、例えば、図７に示すように、「Ｂｏｏｋ原稿をメモリ送信に切り換えました。メモリ送信待機中」として、表示させ、再発呼待機モード（リダイヤル待機モード）に移行する（ステップＳ３１）。
【００７０】
このように、本実施の形態のファクシミリ装置１によれば、ブック型読取部２の読み取った原稿の画情報の所定の相手先へのファクシミリ送信に失敗すると、コンタクトガラス上の原稿の画像をブック型読取部２で読み取って画像メモリ２１に記憶するとともに、当該画像メモリ２１に記憶された画情報を再発呼してファクシミリ送信するメモリ送信再発呼待機モード処理を行う。
【００７１】
したがって、再発呼待機中の原稿を他のオペレータが取り除いても適切にメモリ送信再発呼処理を行うとともに、複数枚の原稿をブック型読取部２で読み取らせて送信する際に再発呼状態になった場合にも、再発呼状態になったときにブック型読取部２で原稿を読み取らせて画像メモリ２１に記憶させて、あらためてブック型読取部２に原稿を読み取らせたり、また、再発呼のタイミングまで待つ手間を省くことができ、ファクシミリ装置１の利用性をより一層向上させることができる。
【００７２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００７３】
【発明の効果】
本発明によれば、再発呼待機モード中の未送信原稿がコンタクトガラス上にセットされた状態であるときに、コンタクトガラス上を覆う圧板が開けられても、警報を出力して、オペレータにその旨を通知し、不用意に原稿が取り除かれてしまうことを防止して再発呼処理を行う一方、操作手段により再発呼待機モードの解除操作が行われた場合は再発呼待機モードを解除することができるので、ファクシミリ装置の利用性をより一層向上させることができる。
【図面の簡単な説明】
【図１】本発明のファクシミリ装置の第１の実施の形態を適用したファクシミリ装置の回路ブロック図。
【図２】図１のファクシミリ装置による直接送信処理を示すフローチャート。
【図３】図２の直接送信処理でブック原稿の送信を完了した旨のディスプレイへの表示の一例を示す図。
【図４】本発明のファクシミリ装置の第２の実施の形態を適用したファクシミリ装置によるリダイヤル待機処理を示すフローチャート。
【図５】図４のリダイヤル待機処理でブック原稿の再セットを促す旨のディスプレイへの表示の一例を示す図。
【図６】本発明のファクシミリ装置の第３の実施の形態を適用したファクシミリ装置による直接送信処理を示すフローチャート。
【図７】図６の直接送信処理でブック原稿をメモリ送信に切り換えてリダイヤル待機に移行した旨のディスプレイへの表示の一例を示す図。
【符号の説明】
１  ファクシミリ装置
２  ブック型読取部
３  ブック原稿センサ
４  ＡＤＦ付き読取部
５  ＡＤＦ原稿センサ
６  圧板開閉センサ
７  プロッタ
８  用紙センサ
９  アラーム
１０  操作表示部
１１  パラメータメモリ
１２  バッテリ
１３  通信制御部
１４  モデム
１５  網制御部
１６  符号化・復号化部
１７  ＣＰＵ
１８  ＲＯＭ
１９  ＲＡＭ
２０  時計回路部
２１  画像メモリ
２２  バス
【図１】
0003775922.tif 000002
【図２】
0003775922.tif 000003
【図３】
0003775922.tif 000004
【図５】
0003775922.tif 000005
【図４】
0003775922.tif 000006
【図６】
0003775922.tif 000007
【図７】
0003775922.tif 000008